(57)【要約】  トランザクションカードは、少なくとも１つのコイルに接続されるプロセッサを備え、そのプロセッサはコイルに作用する磁界により生じるコイルにより出力された信号を受信し、その信号から、カードに関する情報を導出し、情報を記憶し、その後、対応する信号をコイルに送信することにより情報を周囲へ送信するように構成されている。トランザクションカードは情報がカードに記憶された位置を覚え、情報がカードから読取られるとき同じ位置に情報を出力するように構成されることができる。情報をトランザクションカードへ記憶し送信する方法である。【選択図】図１
2009508195.tif 000002
【特許請求の範囲】
【請求項１】
少なくとも１つのコイルに接続されるプロセッサを具備するトランザクションカードにおいて、そのプロセッサは、
コイルに作用する磁界により生じるコイルにより出力された信号を受信し、
その信号から、カードに関する情報を導出し、
その情報を記憶し、
その後、対応する信号をコイルに送信することにより情報を周囲へ送信するように構成されているトランザクションカード。
【請求項２】
前記プロセッサは、
１以上の記録シーケンスにおいて、コイルを介して検出された情報をプロセッサに記憶し、
１以上の読取シーケンスにおいて、プロセッサに記憶された情報はコイルを介して出力されるように構成されている請求項１記載のトランザクションカード。
【請求項３】
前記コイルはトランザクションカードの通常の平面で延在する１以上の巻線を具備している請求項１または２記載のトランザクションカード。
【請求項４】
前記コイルの少なくとも一部はトランザクションカードの通常の平面に延在する中心軸を規定する請求項１乃至３のいずれか１項記載のトランザクションカード。
【請求項５】
さらにトランザクションカードの通常の平面に延在し、コイルの１以上の巻線内の誘導素子を具備している請求項４記載のトランザクションカード。
【請求項６】
前記プロセッサは１以上の時点において、トランザクションカードおよび／またはコイルに関してカード読取／記録手段の１以上の位置を設定するように構成されている請求項１乃至５のいずれか１項記載のトランザクションカード。
【請求項７】
さらに、カード読取／記録手段に関してトランザクションカードおよび／またはコイルの速度を評価する手段を具備している請求項１乃至６のいずれか１項記載のトランザクションカード。
【請求項８】
前記評価手段はコイルの自己インダクタンスの変化を検出するように構成されている請求項７記載のトランザクションカード。
【請求項９】
前記評価手段は、カード読取および／または記録手段がトランザクションカードおよび／またはコイル上の基準位置を通過する評価された速度と時点とに基づいて、トランザクションカードおよび／またはコイルに関するカード読取および／または記録手段の１以上の位置を１以上の時点について評価するように構成されている請求項７又は８記載のトランザクションカード。
【請求項１０】
前記プロセッサは読取モードと記録モードとで動作するように構成され、
記録モードでは、プロセッサはコイルにより検出された情報の少なくとも一部分についてトランザクションカードおよび／またはコイルに関するカード記録手段の書込み位置を評価し、情報の前記一部分と前記評価された書込み位置とを記憶するように構成され、
読取モードでは、プロセッサはトランザクションカードおよび／またはコイルに関するカード読取手段の評価された位置が前記評価された書込み位置と実質的に同一であるときに、カード読取手段の読取位置を評価し、情報の前記一部分をコイルに出力するように構成されている請求項６乃至９のいずれか１項記載のトランザクションカード。
【請求項１１】
前記プロセッサは記録モードで動作するとき、コイルに作用する磁界を情報として解釈し、前記プロセッサはさらにコイルからの信号がプロセッサにより解釈されない非記録モードで動作するように構成されている請求項１０記載のトランザクションカード。
【請求項１２】
プロセッサは、
予め定められた数の記録シーケンスの決定時、および／または、
予め定められた数の読取シーケンスの決定時、および／または、
コイルにより検出される予め定められた数の信号の決定時、および／または、
予め定められた読取および／または記録シーケンス以来経過した予め定められた時間期間の経過後に、記録モードから非記録モードへ変更するように構成されている請求項１１記載のトランザクションカード。
【請求項１３】
トランザクションカードは、プロセッサが秘密保護モードで動作されるときには出力されない付加的な情報を受信するように構成されている請求項１乃至１２のいずれか１項記載のトランザクションカード。
【請求項１４】
さらに、少なくとも１つの走査された生物測定的特性を決定するように構成された生物測定的スキャナを具備し、前記プロセッサは少なくとも１つの走査された生物測定的特性がトランザクションカードのユーザの対応する生物測定的特性に対応しなければ、読取モードの動作を阻止するように構成されている請求項１０乃至１３のいずれか１項記載のトランザクションカード。
【請求項１５】
少なくとも１つのコイルに接続されているプロセッサを具備するトランザクションカードに情報を記憶する方法において、プロセッサは、
コイルに作用する磁界により生じるコイルにより出力された信号を受信し、
その信号から、カードに関する情報を導出し、
その情報を記憶し、
その後、対応する信号をコイルに送信することにより情報を周囲へ送信する方法。
【請求項１６】
前記受信ステップはカード読取手段を移動させ、トランザクションカードおよび／またはコイルに沿って磁界を設定し、１以上の時点でトランザクションカードおよび／またはコイルに関するカード記録手段の１以上の位置を決定するステップを含んでいる請求項１５記載の方法。
【請求項１７】
前記受信ステップは、カード読取および／または記録手段に関するトランザクションカードおよび／またはコイルの速度を評価するステップを含んでいる請求項１５または１６記載の方法。
【請求項１８】
前記受信ステップは、コイルの自己インダクタンスの変化を検出し、その変化と変化が生じた時間期間に基づいて速度を評価するステップを含んでいる請求項１７記載の方法。
【請求項１９】
前記受信ステップは、カード読取および／または記録手段がトランザクションカードおよび／またはコイル上の基準位置を通過した評価された速度と時点とに基づいて、トランザクションカードおよび／またはコイルに関するカード読取および／または記録手段の１以上の位置を１以上の時点について評価するステップを含んでいる請求項１７または１８記載の方法。
【請求項２０】
前記導出するステップはコイルにより検出される情報の少なくとも一部分について、トランザクションカードおよび／またはコイルに関するカード記録手段の書込み位置を評価するステップを含み、ここで記憶ステップは情報の前記一部分と前記評価された位置とを記憶するステップを含んでいる請求項１５乃至１９のいずれか１項記載の方法。
【請求項２１】
前記送信ステップは、トランザクションカードおよび／またはコイルに関するカード読取手段の評価された位置が前記記憶された書込み位置と実質的に同じであるとき、情報の前記一部分をコイルに出力するステップを含んでいる請求項２０記載の方法。
【請求項２２】
前記プロセッサは記録モードで動作するように構成され、ここではプロセッサはコイルに作用する磁界を情報として解釈するように構成され、プロセッサは非記録モードで動作されるように構成され、コイルからの信号はプロセッサにより解釈されない請求項１５乃至２１のいずれか１項記載の方法。
【請求項２３】
前記プロセッサは、
１以上の記録シーケンスにおいて、コイルを介して検出された情報はプロセッサに記憶され、
１以上の読取シーケンスにおいて、プロセッサに記憶された情報はコイルを介して出力されるように構成されている請求項１５乃至２２のいずれか１記載の方法。
【請求項２４】
予め定められた数の記録シーケンスおよび／または、
予め定められた読取シーケンスおよび／または、
コイルにより検出される予め定められた信号および／または、
予め定められた読取および／または記録シーケンス以降経過した予め定められた時間期間のうちの少なくとも１つに基づいて、記録モードから非記録モードへプロセッサの動作モードを変化させるステップをさらに含んでいる請求項２２および２３記載の方法。
【請求項２４】
トランザクションカードは付加的な情報を受信し、プロセッサが付加的な情報の出力を阻止する秘密保護モードでプロセッサを動作する後続のステップを行うように構成されている請求項１５乃至２３のいずれか１項記載の方法。
【請求項２５】
トランザクションカードはさらに少なくとも１つの生物測定的特性を決定するように構成された生物測定的スキャナを具備し、前記送信ステップは、
生物測定的スキャナにより生物測定的材料を走査し、
生物測定的スキャナから受信される信号から生物測定的材料に関する情報を導出し、
生物測定的材料信号に関する情報をトランザクションカードの所有者に関する情報と比較し、
比較された情報が相関するならば、プロセッサ中に記憶されているデータのコイルへの送信を可能にするステップを含んでいる請求項１５乃至２４のいずれか１項記載の方法。
【発明の詳細な説明】
【技術分野】
【０００１】
本発明はトランザクションカードに関し、特に本発明はカードのメモリに記録される情報を含む磁界を検出するためコイルに接続されているプロセッサを有するトランザクションカードに関する。さらに本発明は情報をカードに記録するためにトランザクションカードを動作する方法に関する。
【背景技術】
【０００２】
ダイナミックトランザクションカードはDE-A-196 48 767、DE-C-196 18、WO01/31577、WO01/52204、WO00/49561、EP-A-0 994 439、US 2004/0133787、EP-A-1 231 562、US-A-5,627,355、US 2003/0106935、US-A-4,158,433、CA 2,317,642、GB-B-2 243 235、GB-B-2 398 152、US4,701,601、US-2002/139844、US-2004/111378、US6,883,717に記載されている。
【発明の開示】
【課題を解決するための手段】
【０００３】
第１の特徴では、本発明は少なくとも１つのコイルに接続されるプロセッサを有するトランザクションカードに関し、プロセッサは、
コイルに作用する磁界により生じるコイルにより出力された信号を受信し、
その信号から、カードに関する情報を導出し、
その情報を記憶し、
その後、対応する信号をコイルに送信することにより情報を周囲へ送信するように構成されている。
【０００４】
トランザクションカードはクレジットカードまたはデビットカードのような支払いカードであることができ、またはアクセスカードのような識別カードであってもよい。永久磁気材料の条帯の代わりに、又はそれに対する補足として、トランザクションカードは以下さらに説明するように、１以上のコイルおよび恐らく誘導素子を具備する。さらにクレジットカードはカード読取装置をプロセッサと電気的に接続するためにカードの外部表面上に規定された１以上の接触表面を有するスマートカードであってもよい。
【０００５】
カードにより得られたおよび／またはカードへ記憶されるおよび／またはカードから送信される情報は名前、住所、電話番号、社会保険番号、定期預金番号、カード番号、カードの有効期間の満了日、カード確認コード（ＣＶＶ−コード）、生物学的測定情報、ユーザの写真、ユーザがアクセスできる建物／構造部分またはユーザが運転を許容される乗り物の種類を規定するセキュリティレベル等のようなカードのユーザに関する情報を含むことができる。
【０００６】
プロセッサは例えばカードに積層されるか成形されることによりカードに集積されることができ、またはカードの外部表面に設けられることができる。プロセッサは任意のタイプのマイクロ制御装置又はＦＰＧＡであってもよい。トランザクションカードが情報を記憶することを可能にするために、プロセッサはＲＡＭ、ＰＲＯＭ、ＥＰＲＯＭ、ＥＥＲＯＭ、フラッシュ等のような内部および／または外部メモリを備えることができる。
【０００７】
本発明では、磁界を決定するための手段はコイルとして説明されるが、本発明は存在のセンサ、磁石付勢可能な接触部等のような磁界を決定するのに適切な任意のその他の手段を含んでいる。
【０００８】
コイルから信号を受信するために、プロセッサは電気的にコイルに接続され、したがってコイル中に誘起される電流はプロセッサによって電気的に検出可能である。第１の実施形態では、トランザクションカードは予め定められた種類の情報を読取り／プロセッサに書込むためにそれぞれ使用される少なくとも２つのコイルを有している。１例として、２つのコイルのうちの第１のコイルは欧州トランザクションシステムのような第１のトランザクションシステムに使用されることができ、一方、第２のコイルは米国トランザクションシステムのような第２のトランザクションシステムに使用されることができる。１実施形態では、各トランザクションシステムはトランザクションカードの予め定められた縦方向区域に指定されてそこにコイルが設けられている。縦方向区域はトランザクションカードの通常方向で延在し、縦方向の区域の１つの幅の半分に満たない範囲内等で、相互に隣接して位置されることができる。
【０００９】
第１のコイルの実施形態では、コイルはトランザクションカードの通常の平面で延在する１以上の巻線を具備し、即ち巻線の中心軸はカードの通常の平面に対して実質的に直角のように、カードの通常の平面に対して直交する方向に延在する。
【００１０】
第１のコイルの実施形態では、トランザクションカードは細長い巻線を有する少なくとも１つのコイルを具備することができ、その最大の幅はトランザクションカードの最も長い寸法の５０％よりも広く、７５％以上、８０％以上、９０％以上の長さにすることができる。使用において、細長いコイルによりそこに発生された磁界は以下さらに説明するように読取および／または記録ヘッドの位置にしたがって時間的に変化されることができる。
【００１１】
第２のコイルの実施形態では、トランザクションカードはその長手方向に延在するライン上に設けられている複数のコイルを具備することができる。第１のコイルの実施形態と関連して説明したように、第２のコイルの実施形態のコイルはトランザクションカードの通常の平面に延在する１以上の巻線を有している。
【００１２】
第２のコイルの実施形態のコイルは個々に制御可能であることができる。さらに、２つのコイルの中心軸間の距離は磁気条帯を有する通常のトランザクションカード上の２つのビット間の距離に対応することができ、それにより使用において各コイルは情報の１つのビットを記録し、または情報の１つのビットを再生するために使用されることができる。
【００１３】
第３のコイルの実施形態では、コイルの少なくとも一部分はトランザクションカードの通常の平面に延在する中心軸を規定する。したがって、第１及び第２のコイルの実施形態と反対に、このコイルにより与えられる磁界は（信号が与えられるとき）２つの他の実施形態の場合のようにカードの平面に存在し、平面外に存在しない。それ故、これはこのコイルの実施形態がカードの平面に沿って指向される磁界に対してより良好に結合しそれを検出するように構成されていることを意味する。読取／書込みヘッドが磁気条帯又はコイルの位置でカードの表面に沿って移動されるときにカードの平面でその読取／書込みヘッドの構造がその端部間に磁界を与える（或いはそれを感知するために最適化された）Ｕ字型の誘導素子を有するので、これは大部分のカード読取装置および書込み装置における状態である。
【００１４】
３つのコイルの実施形態のいずれの場合にも、トランザクションカードは（それぞれが）コイル内に設けられる少なくとも１つの誘導素子を具備することができる。本発明の文脈では用語「誘導素子」は磁界を伝導することができる素子として理解される。１実施形態では、コイルの巻線は伝導素子の端部周辺のような誘導素子の限定された部分の周囲に設けられる。代わりに誘導素子の全長又は大部分の長さが巻線でカバーされてもよくまたは巻線と結合されてもよい。
【００１５】
第３のコイルの実施形態では、誘導素子はトランザクションカードの通常の平面およびコイルの１以上の巻線内に延在することができる。さらに第３のコイルの実施形態では、コイルは誘導素子の限定された部分を取り囲むことができ、誘導素子の一端部に設けられることができる。好ましくは巻線は誘導素子の長さの少なくとも大部分にわたって位置される。
【００１６】
プロセッサはコイル上に作用する磁界によってコイルにより出力される信号を受けるように構成されている。受取られた磁界は時間において変調され、或いは誘導素子および／またはコイルに関する位置に関して変調される。さらに、プロセッサはカードに関する情報を信号から導出するように構成されている。情報を導出するとき、プロセッサは予め定められた変調方式にしたがって受信された信号を復調するように構成される。さらにプロセッサは例えばＣＲＣチェックサムのようなチェックサムによって、信号、復調された信号または情報をエラーについてチェックするように構成されることができる。
【００１７】
さらに、プロセッサは導出された情報を前述の内部および／または外部メモリに記憶するように構成されてもよい。情報は一時的又は永久的に記憶されることができる。１実施形態では、メモリの少なくとも一部は以下さらに詳細に説明するようにカードへの情報を記録中に、トランザクションカードにより記録された情報を記憶するために使用されることのできるライトワンスメモリである。
【００１８】
記憶される情報は対応する信号をコイルに送信することにより、その後周囲に送信されることができる。したがって、プロセッサは記憶された情報を変調し、および変調された信号をコイルに与えるように構成され、それにより磁界がコイルによって発生される。プロセッサの１実施形態では、プロセッサは暗号化アルゴリズム、チェックサムアルゴリズム、確認コードのような記憶された情報のある部分の送信を阻止するように構成される。
【００１９】
記録期間中、トランザクションカードは１以上の記録シーケンスを受け、コイルを介して検出された情報はプロセッサ中に記憶される。本発明の文脈では、用語「記録シーケンス」は記録サイクルとして理解され、それにおいては通常のトランザクションカードの磁気条帯に記憶される情報に対応する情報がトランザクションカードへ記録されるか、そこへの記録が試みられる。
【００２０】
同様に読取期間中、トランザクションカードは１以上の記録シーケンスを受け、プロセッサに記憶された情報はコイルを介して出力される。本発明の文脈では、用語「読取シーケンス」は読取サイクルとして理解され、それにおいては通常のトランザクションカードの磁気条帯に記憶される情報に対応する情報がトランザクションカードから読取られるか、そこからの読取が試みられる。
【００２１】
通常のクレジット／トランザクションカードの磁気条帯に情報を記録するとき、その情報は磁気条帯が磁化されるときカード上の物理的位置に記憶される。情報を本発明のトランザクションカードに記録するとき、情報はカード上の物理的位置に記憶されるのではなく、コイルおよび／または誘導素子によりプロセッサのメモリに記憶される。したがってプロセッサがコイルにより記憶される情報を再度生成することを可能にするために、プロセッサは１以上の時点においてトランザクションカードおよび／またはコイルに関してカード読取および／または記録手段の１以上の位置を設定し、例えば評価或いは決定するように構成されることができる。１実施形態では、プロセッサは記録される情報の各ビットについてその位置をコイル／誘導素子に沿って記憶するように構成され、情報はカードに記憶された。
【００２２】
記憶された情報を位置と相関するために、トランザクションカードのプロセッサはトランザクションカードに関する読取／記録ヘッドの位置に関する情報に対してアクセスしなければならないことが認識されよう。この情報は記録装置により与えられ、またはトランザクションカードは記録／読取装置の位置を決定又は評価するように構成されることができる。
【００２３】
第１の実施形態では、トランザクションカードはカードの長さに沿って間隔を隔てられ、それぞれ記録／読取装置の通路を決定するように構成されている複数の磁石センサおよび／または近接センサを具備することができる。このようなセンサはカードに沿った線上に設けられる前述の複数のコイルにより与えられることができる。代わりにこの目的のセンサは任意の実施形態で使用されることができる。
【００２４】
別の実施形態では、トランザクションカードはカード記録／読取手段に関するトランザクションカードおよび／またはコイルの速度を評価するための手段を具備することができる。この評価手段はトランザクションカードのコイルの自己インダクタンスにおける変化を検出するように構成されることができる。このコイルはトランザクションカードとの間で情報を記録し／読取るために使用されるコイル、または１以上の別々のコイル又は他の磁界センサ（或いは他のタイプの近接センサ）がカードと記録／読取ヘッド間の相対的な速度を決定するために設けられることができる。
【００２５】
評価手段は評価された速度とカード記録／読取手段がカード／コイル上の基準位置を通過した時点に基づいて、カード／コイルに関するカード記録／読取手段の１以上の位置を１以上の時点について評価するように構成されることができる。これは記録／読取手段が評価手段を通過して以降経過した時間を決定することにより行われることができ、それによってカードと記録／読取手段間の相対的な運動は経過時間と評価された速度に基づいて計算されることができる。
【００２６】
前述したように、トランザクションカードはカードに沿って実質的に同じ位置で（情報に対応する）信号を出力するように構成されることが好ましく、信号（情報）は信号の記録期間中に検出された。したがってプロセッサは読取モードと記録モードで動作されるように構成されることができ、記録モードではプロセッサはコイルにより検出される情報の全てのような、少なくとも一部についてトランザクションカードおよび／またはコイルに関するカード記録手段の書込み位置を評価し、情報の前記部分と前記評価された書込み位置を記憶するように構成され、読取モードでは、プロセッサはトランザクションカードおよび／またはコイルに関するカード読取手段の評価された位置が実質的に前記評価された書込み位置と同一であるとき、カード読取手段の読取位置を評価し、情報の前記部分をコイルに出力するように構成される。
【００２７】
その代わりに、プロセッサは読取モードと記録モードで動作するように構成されてもよく、記録モードではプロセッサはコイルにより検出される情報の全てのような少なくとも一部についてカード記録手段がカード／コイル上の予め定められた位置を通過して以来に経過した時間を決定し、情報の前記部分と前記定められた時間を記憶するように構成され、読取モードでは、プロセッサはカード記録手段がカード／コイル上の前記予め定められた位置を通過して以来経過した時間を決定し、情報の前記部分と前記定められた時間を記憶するように構成され、読取ヘッドが前記予め定められた位置を通過して以来に経過した予め定められた時間が実質的に記憶され予め定められた時間と同じであるときコイルへ情報の前記部分を出力するように構成されている。
【００２８】
記録された情報が重書きされることを防止するため、プロセッサは非記録モードで動作するように構成されることができ、その場合にはコイルからの信号はプロセッサにより解釈されず、または少なくとも受信された情報はカードに記録されない。ほとんどの実施形態では、目的とされる情報がカードに記憶されるときトランザクションカードは記録モードから非記録モードへ変更される。したがってプロセッサは１つの成功した記録シーケンスのような予め定められた数の記録シーケンスを決定するときに記録モードから非記録モードへ変更するように構成されることができる。
【００２９】
幾つかの実施形態では、トランザクションカードは記録装置によりその後それぞれのような１以上の記録シーケンスについて検査される。したがって、プロセッサは予め定められた数の読取シーケンスの決定時に記録モードから非記録モードへ変更されることができる。
【００３０】
その代わりに又は補足として、プロセッサはコイルのようなトランザクションカードの信号検出手段により検出される予め定められた信号の決定時に非記録モードへ変更されることができる。前記信号は（成功した）記録／読取シーケンスにおいてまたはトランザクションカードが記録装置から／記録装置により排出されるとき記録装置により放出されることができる。
【００３１】
さらに別の代替／補足技術では、トランザクションカードは予め定められた読取および／または記録シーケンスおよび／またはカードを記録装置へロードする時点および／またはカードに記録されるデータの成功した検査の時点から計算された予め定められた時間期間後、非記録モードに変更するように構成されることができる。
【００３２】
トランザクションカードの使用前、またはその使用間で、カードは秘密保護モードで動作されるように構成されることができ、その場合にはカードにより受信されたＣＣＶコードのような機密情報はプロセッサにより出力されることができない。
【００３３】
秘密保護モードから（秘密保護ではない）読取モードへトランザクションカードを変更するために、トランザクションカードはそのユーザの少なくとも１つの生物測定的特性を決定するように構成された生物測定的スキャナを具備することができる。さらにプロセッサは少なくとも１つの走査された生物測定的特性がトランザクションカードのユーザの対応する生物測定的特性に対応しなければ、読取モードの動作を阻止するように構成されることができる。生物測定的特性はカードのユーザの１以上の指からの指紋であってもよい。代わりに生物測定的特性はユーザの網膜に関する情報であってもよい。
【００３４】
秘密保護モードから読取モードへトランザクションカードを変更するために、ユーザは生物測定的スキャナ上に指を置くことができ、それによって指紋の走査された画像を設定する。その後、プロセッサは設定された指紋を、カードの付勢を伴ってユーザによりプロセッサに記憶されている記憶された指紋と関連付けることができる。２つの指紋が相互に対応するならば、そのカードは予め定められた時間期間またはそれが読取シーケンスを受けるまで読取モードへ変更されることができる。
【００３５】
適切に書込まれたならば、および例えば指紋によって付勢されないならば、カードはこのような信号の検出（ボタン押し、読取ヘッドの検出）時にカードの所有者に関するアイデンティティ情報を出力するように構成されることができる。機密が暴露されずに、カードが正しい所有者に送られることが確認されることができ、発見された遺失カードが正しい所有者に送られることができる。
【００３６】
本発明の第１の特徴により、本発明は本発明の第２および／または第３の特徴にしたがって本発明の任意の特徴又は素子を含むことができる。
【００３７】
第２の特徴では、本発明は少なくとも１つのコイルに接続されたプロセッサを具備しているトランザクションカード上に情報を記録する方法に関し、そのプロセッサは、
コイルに作用する磁界により生じるコイルにより出力された信号を受信し、
信号から、カードに関する情報を導出し、
その情報を記憶し、
その後、対応する信号をコイルに送信することにより情報を周囲へ送信する。
【００３８】
本発明の第２の特徴のトランザクションカードは本発明の第１または第３の特徴のトランザクションカードの任意の特徴または素子を具備することができる。さらにこの方法は、本発明の第１及び第３の特徴のトランザクションカードが行うように構成されることができるステップに対応するステップを含むことができる。１例として、本発明の第１の特徴のトランザクションカードは非記録モードで動作されるように構成されてもよく、その場合にはコイルからの信号はプロセッサにより解釈されず、またはコイルからの信号はデータに変換されずカードに記憶されない。したがって本発明の第２の特徴による方法は、トランザクションカードを非記録モードで動作するステップを含むことができ、コイルからの信号はプロセッサにより解釈されない。
【００３９】
受信ステップはカード記録手段を動かし、トランザクションカードおよび／またはコイルに沿って磁界を設定し、時間における１以上の時点でトランザクションカードおよび／またはコイルに関するカード記録手段の１以上の位置を決定するステップを含むことができる。
【００４０】
記録／読取ヘッドの位置を決定する方法は、記録／読取ヘッドとカード／コイルとの間の相対的な速度を評価し、ヘッドがカード／コイル上の予め定められた位置を通過する時点を決定することによるものである。したがって受信ステップはカード読取および／または記録手段に関するトランザクションカードおよび／またはコイルの速度を評価するステップを含むことができる。
【００４１】
速度を決定するために、受信ステップは、コイル又は別のコイルの自己インダクタンスの変化を検出し、その変化と変化が生じた時間期間に基づいて速度を評価するステップを含むことができる。
【００４２】
さらに、受信ステップはカード読取および／または記録手段がトランザクションカードおよび／またはコイル上の基準位置を通過した評価された速度と時点とに基づいて、トランザクションカードおよび／またはコイルに関するカード読取および／または記録手段の１以上の位置を１以上の時点について評価するステップを含むことができる。
【００４３】
本発明の第２の特徴による方法では、記録／読取ヘッドの速度は本発明の第１の特徴で説明された代替手段により決定されてもよい。１例では記録／読取ヘッドが第１のセンサを通過してからそれがトランザクションカードの第２のセンサを通過するまでに経過する時間が決定される。
【００４４】
カード／コイルに関して記録手段／ヘッドの位置を決定するために、導出ステップはコイルにより検出される情報の少なくとも一部について、トランザクションカードおよび／またはコイルに関するカード記録手段の書込み位置を評価するステップを含むことができ、それにおいて記憶ステップは情報の前記一部分と前記評価された位置とを記憶するステップを含むことができる。好ましくは磁気条帯上で表される全てのビットの位置が記憶される。
【００４５】
さらに送信ステップはトランザクションカードおよび／またはコイルに関するカード読取手段の評価された位置が実質的に前記評価された書込み位置と同じであるとき、情報の前記部分をコイルに出力するステップを含むことができる。したがって、全てのビットは読取手段に関して標準的な磁気条帯をエミュレートするために同じ位置で出力されることができる。
【００４６】
プロセッサは記録モードで動作するように構成されることができ、その場合にプロセッサはコイルに作用する磁界を情報として解釈するように構成される。１実施形態では、受信ステップは記録モードでプロセッサを動作するステップを含むことができる。
【００４７】
さらに、プロセッサは非記録モードで動作するように構成されることができ、その場合にはコイルからの信号はプロセッサにより解釈されず、またはこのような信号から発生されるデータはカードに記録されない。受信ステップおよび／または導出ステップおよび／または記憶ステップおよび／または送信ステップは非記録モードでプロセッサを動作するステップを含むことができる。その代りとして、方法は記録ステップおよび先行する送信ステップの後に非記録モードでプロセッサを動作するステップを含むことができる。
【００４８】
プロセッサは１以上の記録シーケンスを受けるように構成されることができ、その場合にはコイルを介して検出された情報はプロセッサに記憶される。各記録シーケンスは受信ステップおよび／または導出ステップおよび／または記録ステップを含むことができる。付加的に、プロセッサは１以上の読取シーケンスを受けるように構成され、その場合にはプロセッサに記憶される情報はコイルを介して出力される。各読取シーケンスは送信ステップおよび／または読取モードでプロセッサを動作するステップを含むことができる。
【００４９】
さらに方法は予め定められた数の記録シーケンスおよび／または予め定められた読取シーケンスおよび／またはコイルにより検出される予め定められた信号および／または予め定められた読取および／または記録シーケンス以降に経過した予め定められた経過時間および／またはカードが記録装置へロードされた以降に経過した予め定められた経過時間および／またはカードが非記録モードから記録モードへ変更された以降に経過した予め定められた経過時間のうちの少なくとも１つに基づいて、記録モードから非記録モードへプロセッサの動作モードを変化させるステップを含むことができる。
【００５０】
その方法は付加的な情報を受信し、プロセッサが付加的な情報の出力を阻止する秘密保護モードでプロセッサを動作する次のステップを含むことができる。
【００５１】
予め定められた人だけがトランザクションカードを使用できることを確認するために、カードは指紋のような少なくとも１つの生物測定的特性を決定するように構成された生物測定的スキャナを具備することができる。さらに送信ステップは、
カードの外部表面上に設けられることのできる生物測定的スキャナにより指または網膜のような生物測定的材料を走査し、
生物測定的スキャナから受信される信号から生物測定的材料に関する情報を導出し、
生物測定的材料信号に関する情報をトランザクションカードの所有者に関する情報と比較し、
比較された情報が相互に相関されているならば、プロセッサに記憶されるデータのコイルへの送信を可能にするステップを含むことができる。
【００５２】
１実施形態では、トランザクションカードは以下のステップを行うことにより確認されることができ、即ち、
ランダムビットセグメントのカード特定シリーズを予め定められたシーケンスで発生させ、
その予め定められたシーケンスのビットセグメントの少なくとも前記シリーズを前記クレジットカード上の第１の記憶手段に記憶し、さらに前記第１の記憶手段と通信するプロセッサを具備し、
予め定められたシーケンスのビットセグメントの同じシリーズを確認データベースへ記憶し、
前記予め定められたシーケンスに基づいて、少なくとも１つの単一サービスビットセグメントを前記第１の記憶手段に記憶されているビットセグメントの前記シリーズの中から選択し、
前記少なくとも１つの単一サービスビットセグメントを有するカードデータ信号を前記ダイナミック磁気条帯から確認装置へ放出し、
前記少なくとも１つの単一サービスビットセグメントを前記確認データベースに記憶された予め定められたシーケンスのビットシーケンスと比較し、
前記比較が肯定的であるならばトランザクションを確認するステップである。
【発明を実施するための最良の形態】
【００５３】
以下、本発明を図面を参照してさらに詳細に説明する。  
図面の説明に関して、用語「コイル」はコイルおよび恐らくコイル中に設けられる誘導素子を含む一般化された用語として使用される。さらに、用語「コイル」はまた磁界を決定し、又は発生する任意の他の手段も意味している。
【００５４】
図１では、本発明によるクレジットカードは好ましい実施形態で示されており、これはカード本体１を具備し、このカード本体１は電流を指紋読取手段14に供給する電池12と、ＥＥＰＲＯＭのようなメモリ18を含む指紋確認手段16と、マイクロ制御装置のようなデータプロセッサと、読出領域40とを有している。
【００５５】
指紋確認手段16は、前記秘密保護されたデータ信号を送信するように予め定められた時間の期間中に前記カード本体１上に設けられた駆動装置回路20を経て前記メモリ18に記憶されている秘密保護データに対応する信号を前記カード本体１上の読出領域40へ与えるために、前記指紋読取手段14から受信された指紋信号を前記メモリ18に記憶されたカード所有者の指紋データと比較するように構成されることができる。大部分の実施形態では、秘密保護されたデータは前記定められた付勢時間期間外の前記読出領域40から放出される。
【００５６】
読出領域40は３つのトランスデューサコイル42を有することができ、その中の１つが図２で詳細に示されており、それぞれ電磁的に誘導可能なコア材料の条帯422の端部セクションの周囲に巻かれている複数のコア巻線420を有している。図１及び２のコイルは先の説明で示した第３のコイルの実施形態で与えられている。各トランスデューサコイル42は前記駆動装置回路20により個々に誘導可能であることができる。トランスデューサコイルの数は３つのトラックの磁気条帯に位置する通常の磁気条帯情報に対応する秘密保護データ信号を誘起するために３個に選択されることができるが、その代りとして１乃至３以上の範囲の数で設けられることができる。
【００５７】
大部分の応用では、データは第１及び第２の前記通常の磁気導体に対応して、２つのトランスデューサコイル42でのみ発生される。通常の磁気条帯では、データはいわゆるＦ２Ｆフォーマットまたは２周波数フォーマットを使用してクレジットカード読取装置へ永久に磁気的に与えられ、ここで“０”ビットは同じ磁界方向を有する前記磁気条帯中の予め定められた長さにより形成され、“１”ビットは“０”ビット磁石部分の前記長さに等しい組合された長さを有する反対方向の磁界を有する２つの縦方向に位置された部分である。１つの通常の磁石トラックは通常１２１０ビット／インチ（２．５４ｃｍ）で与えられる。したがって、本発明によるクレジットカードと秘密保護されたデータ付勢システムのトランスデューサコイル42はこのようなＦ２Ｆフォーマットの前記秘密保護されたデータ信号をクレジットカード読取装置へ送信し与えるように構成され、クレジットカード読取装置は読取ヘッド50によって前記クレジットカードを読取る。
【００５８】
コイル42はこれがクレジットカード読取装置により読取可能であるように均一で比較的強力な磁界を発生することができる。この磁界の特性は条帯422のコア材料とコア構造、条帯422上のコア巻線420の数及び位置の選択のようなトランスデューサコイル構造により非常に影響される。トランスデューサコイル42に対する信号の変化は条帯に沿って可変の磁界を発生し、この磁界は同じ秘密保護されたデータを保持する通常の磁気条帯のクレジットカードが同じ読取装置を通過するときに読取装置ヘッドが影響される磁界と同じである。
【００５９】
コア条帯422の材料は有効に、類似の磁気と物理的な外観を有するように通常の磁気トラックに対応する幅及び位置を有することが好ましいカード本体の１面または各面上に単一または二重のホイルとして設けられる金属、好ましくは電磁積層、鉄板又は他の金属板のような電磁的に誘導可能な材料である。コア条帯のコア材料の選択は発生される磁界の強度および分布に強く影響し、発生されている磁界の強化を可能にし、コア巻線で必要とされる電流がさらに低くなり、これは前記クレジットカードの電力消費を減少させる。
【００６０】
コア条帯422には本発明によりクレジットカード上で使用されているクレジットカード読取装置の読取ギャップによる読取能力の改良を促進するために、均等な磁界分布を生じるようにコア材料の範囲に沿ってまたはカード本体内に設けられる分散されたエアギャップ424のような「欠陥」、またはプラスティック或いは紙のような別の多かれ少なかれ電磁的に誘導可能な材料の汚染物が含まれる可能性がある。このようなエアギャップがなければ、磁界の最も強力な部分はコア条帯の一方の端部からその他方の端部へ流れ、したがってクレジットカード読取装置の磁気読取装置ヘッドの読取ギャップから離れる傾向を有する。
【００６１】
用語「コア条帯」はコア材料の実質的に細長い部分を示しており、したがって幾つかの連続して位置される比較的小さい、または大きいコア材料セクションおよび／または１つの完全に一体のコア材料セクションを具備し、材料層の比較的小さい、または大きい厚さと所望の強度、同質および範囲の磁界を発生するための適切な寸法にされた幅及び高さを有すると理解すべきである。
【００６２】
トランスデューサコイル42のコア巻線420を電磁的に誘導可能なコア条帯422の端部セクションに設けることは読取領域40全体により放出される均質な磁界を与えることができることが認められる。図１および２で見られるように、前記コア巻線420を前記コア条帯422の一方の端部セクションに設けることは、前記クレジットカードに設けられるコア巻線420とクレジットカード読取装置の読取ヘッド50との間の磁気干渉の減少を助ける。したがって、３つのトランスデューサコイル42の各コア巻線420の位置は代わりに反対の端部セクションに設けられてもよい。明らかに、前記トランスデューサコイルのコア巻線はまたコア条帯の範囲に沿って均等に分散されて設けられることができ、または前記コア条帯の１以上のセクションまたはそのセクションに分散されることができる。コア巻線420は好ましくはコア条帯422の短い面の周囲に設けられ、所望の磁界強度、コア巻線の電流負荷、磁気の外観等に関して任意の適切な数で設けられることができる。明らかに、コア巻線は磁界を前記誘導可能なコア条帯中に誘起できる材料、例えば鉄のような金属または別の適切な導電性材料である。
【００６３】
本発明により、読出領域のこのような「付勢可能な磁気条帯」は、例えば自動従業員出席システム、個別化されたインターネットショップカード、ＩＤバッジ等の磁気条帯から秘密保護されたデータが付勢の前に入力を必要とする他の応用に対しても有用であることが認識されている。前記入力は指紋確認に限定されず、網膜、署名または他の確認であってもよく、または簡単な押ボタン入力であってもよく、任意の人からまたは人だけでなく前記秘密保護されたデータが関連するエンティティからのものでもよい。秘密保護されたデータの付勢システムをそれ故ここで説明されたように、指紋確認を有するこのようなクレジットカードを１例として示している。
【００６４】
図１では、示されているクレジレットカードはさらに、本発明によるクレジットカードがこのような読取装置の付近にあるとき、即ち前記センサ30がクレジットカード読取装置のピックアップ読取装置ヘッド50の近くにあるとき、クレジットカード読取装置50の検出のために前記トランスデューサコイル42の１つに位置されているスイープ検出センサ30を具備している。このようなスイープ検出センサ30は前記コア条帯422の１つに巻かれている少なくとも１つのセンサ巻線（図示せず）を有することができる。使用において、前記ピックアップヘッド50は磁気的であり、カード又はヘッドは可動であり、それはスイープ検出センサ30により感知されるので、クレジットカード読取装置を通るクレジットカードのスイープは少なくとも１つのセンサ巻線に電流を誘起する。代わりに使用されることのできる他のスイープ検出センサはＡ）クレジットカード読取装置の読取装置ヘッドが前記センサの付近にあるときに閉じられるスイッチ、またはＢ）クレジットカード読取装置の読取装置ヘッドが前記センサ、または任意の他の適切なスイープ検出または近接センサ手段の付近を通過するとき回路を短絡する２つの導体を具備している。スイープ検出器センサが存在することによる利点は、少なくとも付勢期間の開始および前記期間が前記センサからの入力に基づいて決定されることができることである。
【００６５】
その代りとして、２以上のスイープ検出センサは例えばその一つがトランスデューサコイルの各端部セクションに設けられ、またはその代わりに読出区域の各端部セクションに設けられることができ、それによって前記読取装置ヘッダの近接検出に基づいて、トランザクションコイルのいずれの端部で秘密保護データセットが開始するかについての情報をデータプロセッサに提供する。
【００６６】
別の実施形態では、１又は複数のスイープ検出センサはそれがピックアップヘッドを通過する速度を検出し、この情報はプロセッサへ与えられ、プロセッサはそれに応じて秘密保護データ信号をクレジットカード読取装置へ通知するのに必要な付勢時間の開始及びその期間を決定する。
【００６７】
秘密保護されたデータ信号の送信期間は通信時間期間のみに減少され、通常のＡＴＭの読取速度はしばしば一定に予め設定されるか良好に規定されたシステムの予め設定された速度であるので、本発明によるクレジットカードをＡＴＭ型の機械で使用するときこれは特に有効である。カード所有者の指紋が前記指紋読取手段14により登録されるとき、秘密保護されたデータを前記トランスデューサコイル42へ与えることが予め定められた時間期間で可能にされることができる。前記時間期間中、秘密保護されたデータ信号は読み出し領域からのみ放出され、スイープ検出センサ30がクレジットカード読取装置ヘッド50のこのような近接を検出したとき又は検出したならば、その直後に秘密保護されたデータ信号の１送信だけが前記読出領域40により行われることが好ましい。これは前記クレジットカードの比較的迅速な移動によりクレジットカード読取装置を通って前記クレジットカードをスイープするとき有効である。代わりに、幾らかの送信が前記時間期間中に行われることができる。これは前記クレジットカードがさらに長く継続する通信期間で前記クレジットカード読取装置内に存在するときに有効である。
【００６８】
図２では本発明によるクレジットカード（図示せず）から１つのトランスデューサコイル42を読取る通常のクレジットカード読取装置ヘッド50が示されている。クレジットカード読取装置は、好ましくはＩＳＯ  ７８１１標準方式のような当業者に知られているクレジットカードデータの標準方式にしたがって、コイルが位置されているクレジットカードによって放出されるデータを復号する。前記標準方式では、プロトコルが使用され、それは開始標識と、初期フォーマットコードおよびフィールドセパレータを含む７６の文字数字符合と、終了標識と、水平冗長検査文字とを具備している。クレジットカードのコイルは好ましくはこのような所定の標準方式に応じるために前述したように秘密保護されたデータを発生することができる。
【００６９】
最初に、未使用のトランザクションカードは特定のユーザおよび／または目的に指定されておらず、情報がこのような指定を実現するために制御された方法でトランザクションカードのプロセッサ／メモリに記録されなければならない。
【００７０】
第１の実施形態では、トランザクションカードのプロセッサはデータがトランザクションカードのメモリに記録されることを可能にするため非記録モードから記録モードへ変更されなければならない。このことはトランザクションカードがデータをメモリに記録する前に電力を節約する非記録モードで動作されることができるという利点を与える。トランザクションカードのプロセッサはトランザクションカードの外部表面上に設けられたボタンの付勢によって非記録モードから記録モードへ変更されることができる。その代わりに、トランザクションカードのプロセッサはプロセッサによる予め定められた信号の検出時に非記録モードから記録モードへ変更されることができる。第２の実施形態では、トランザクションカードのプロセッサはデータがトランザクションカードのプロセッサ／メモリ中に記録されるまで、記録モードで常に動作される。
【００７１】
データをプロセッサ／メモリに記録するために、トランザクションカードはＤＡＴＡＣＡＲＤ（商標名）９０００のような適切な記録装置にロードされることができる。記録装置は情報をトランザクションカードの１以上のコイルを経てプロセッサ／メモリへ記録するための少なくとも１つの記録ヘッドと、カードの１以上のコイルを経てプロセッサ／メモリに記憶された情報を読取るための少なくとも１つの読取ヘッドを具備することができる。さらに、記録装置は以下さらに詳細に説明するように記録モードから非記録モードへトランザクションカードを変更するように構成されることができる。記録装置は記録および／または読取ヘッドに関してトランザクションカードを動かすための手段を具備することができ、それによって記録／読取ヘッドにより発生される磁界はトランザクションカードのコイル上に作用し、コイルにより発生される磁界は記録／読取ヘッドに作用することができる。トランザクションカードを記録装置の記録／読取ヘッドに関して動かすことにより、ビットは物理的に別々にされることによりトランザクションカードに記憶され、トランザクションカードの同じ位置に記録されず／同じ位置から読取られない。
【００７２】
さらに、記録装置は読取および／または記録ヘッドに関してトランザクションカードの位置を決定する手段を具備することができる。トランザクションカードの位置を決定する手段はトランザクションカードのエッジを識別する手段と、移動するトランザクションカードの速度を決定／評価する手段を具備することができる。
【００７３】
エッジがエッジ識別手段を通過するときのトランザクションカードの速度と時点に関する情報に基づいて、トランザクションカードに関する読取および／または記録ヘッドの位置が評価されることができる。これは予め定められた情報がトランザクションカードの予め定められた位置に記憶されることを確証するために使用されることができる。ダイナミックトランザクションカードの場合、この予め定められた情報はトランザクションカードのコイル／誘導素子上の物理的位置ではなくトランザクションカードのプロセッサ／メモリ中に記憶されることが認識されるであろう。
【００７４】
トランザクションカードは１以上の時点においてカード／コイルに関する記録および／または読取ヘッドの１以上の位置を設定するように構成されることができる。さらに、トランザクションカードは情報の検出されたピースとカード／コイルに沿った対応する位置に関する情報を記憶するように構成されることができる。情報と情報の関連される位置の両者を記憶することによって、その後、通常のトランザクションカードをエミュレートすることが可能である。このエミュレーションはトランザクションカードに関する読取ヘッドの任意の位置で、カードに記録するときに出力情報が実質的にカードの同じ位置で検出される情報に対応するような方法で、記憶された情報をコイルに出力することにより実現されることができる。トランザクションカードの読取に関して以下説明するように、トランザクションカードの設計にしたがって、これは異なる方法で実現されることができる。
【００７５】
情報及びその対応する位置を記憶するために、トランザクションカードは読取および／または記録ヘッドの位置を評価するように構成される。したがってトランザクションカードはスイープ検出センサ30の形態で速度を評価する手段を具備することができ、これはトランザクションカードのコイルに沿って記録および／または読取ヘッドの速度を評価するように構成されている。スイープ検出センサ30はトランザクションカード上の予め定められた位置に関して記録および／または読取ヘッドの速度を評価するために使用される。読取および／または記録ヘッドの従来および／またはその後の位置は、基準位置の速度と速度の測定以降に経過した時間に基づいて評価されることができることが認識されるであろう。
【００７６】
第１の実施形態では、スイープ検出センサは読取／書込みヘッドを決定するための第１及び第２の手段を具備し、第１の手段から第２の手段までの同じ読取／記録ヘッドの通路間で経過した時間は第１の手段と第２の手段との間の距離についての情報を使用して、記録／読取ヘッドの速度を決定するために使用されることができる。別の実施形態では、スイープ検出センサは記録／読取ヘッドがスイープセンサのコイル方向またはそれに沿って移動されるときの時間にわたる自己インダクタンスの変化を決定するように構成される。後者の実施形態では、記録／読取ヘッドの速度は自己インダクタンスの変化を解析することによって、例えば時間の関数として自己インダクタンスを表す曲線の幅を決定することにより決定される。大部分の実施形態では、このような曲線はＶまたはＵ型の曲線を有することができ、曲線の下部はスイープセンサを通過する記録／読取ヘッドを表し、ＶまたはＵ型の曲線の幅は記録／読取ヘッドの速度について示されている。１例として、幅は半波高全幅値方法、即ち曲線がその最大値の半分に到達するＶまたはＵ型の曲線上の点間の距離により決定されることができる。
【００７７】
スイープ検出センサ30はトランザクションカードの任意の位置に設けられることができるが、好ましくは１以上のコイルの付近に設けられる。図１の実施形態では、スイープ検出センサ30は誘導素子の１つを囲む少なくとも１つの巻線を有している。大部分の実施形態では、スイープ検出器は記録／読取ヘッドが記録／読取時に接触する第１の領域または第１の領域の１つに設けられる。
【００７８】
［記録−相１（記録プロセスの初期化）］  
トランザクションカードは記録装置にロードされ、記録装置は必要ならばカードを記録モードに変更する。非記録モードと記録モード間の変更について前述した説明を参照されたい。記録装置は記録ヘッドに関するトランザクションカードの位置を決定し、トランザクションカードのコイルが記録ヘッドに関して予め定められた位置に位置されるとき、記録ヘッドは磁界を生成するように動作され、それによって電流がコイルで誘起される。
【００７９】
［記録−相２（長手方向に１つのコイルを有するトランザクションカード−第１／第３のコイルの実施形態）］  
コイルから信号を検出するとき、トランザクションカードはカードのプロセッサ／メモリへの情報の記録を開始する。記録期間中、プロセッサはコイルにより出力された信号から情報を導出し、関連する情報をトランザクションカードのメモリに記憶する。同時にトランザクションカードはコイルに関する記録ヘッドの位置（および／または記録ヘッドがコイル上の予め定められた位置を通過して以来経過した時間）を評価し、情報は検出され、任意の情報ピースについてコイル／カードに沿った位置を記憶する。プロセッサは記録ヘッドがトランザクションカードに関して予め定められた位置に到達するまでおよび／または予め定められた時間が経過するまで、および／または記録ヘッドからの磁界が予め定められたしきい値を下回るまで情報の記録を継続する。
【００８０】
［記録−相２（長手方向に複数のコイルを有するトランザクションカード−第２のコイルの実施形態）］  
１つのコイルを有するトランザクションカードへ情報を記録することについての前述の説明に関して、この実施形態の違いは、装置の長手方向に沿った各コイルがコイルの前記位置で記録される情報を決定するために使用され、プロセッサがコイルにより検出された情報とコイルの位置を各コイルについて記憶するように構成されることである。
【００８１】
［記録−相３（記録プロセスの終了）］  
記録装置が記録動作を終了するとき、記録装置の読取ヘッドは記憶されたデータを確認するために幾つかの実施形態ではトランザクションカードのコイルに沿ってスイープされることができる。
【００８２】
第１の実施形態では、記録装置は記録動作の終了時に記録モードから非記録モードへトランザクションカードのプロセッサを変更するように構成されている。トランザクションカードの１実施形態では、情報はプロセッサが非記録モードで動作されるときカードからのみ読取られることができ、他の実施形態では情報は記録及び非記録モードの両者でカードから読取られることができる。両者の実施形態では、プロセッサは例えば記録装置又は自動預金支払機のカード読取ヘッドからの予め定められた読取信号を決定するとき記憶された情報を出力するように構成されることができる。プロセッサは予め定められた数の記録および／または読取シーケンスを決定するとき、記録モードから非記録モードへ変更されることができる。その代わりに、またはそれに補足として、プロセッサは例えばコイルを経て記録装置からプロセッサへ送信される予め定められた信号を検出するとき非記録モードへ変更されるように構成されてもよい。さらに別の代替技術では、プロセッサは予め定められた時間期間後に非記録モードへ変更するように構成される。トランザクションカードを非記録モードへ変更することによって、プロセッサに記憶された情報は変更されることができないので危険が防止されることができる。
【００８３】
さらに、記録装置はトランザクションカードに記憶された情報がなく、カード読取装置により検索されることができないか情報の限定された部分だけしか検索されることのできない秘密保護モードにトランザクションカードを変更するように構成されることができる。カードを付勢する（したがって秘密保護モードから非秘密保護モードにカードを変更する）ために、ユーザは指紋に関する情報のような生物測定的情報を装置のメモリ／プロセッサへロードすることによりカードを付勢する。
【００８４】
［トランザクションカード初期ステップからの読取り］  
カード読取装置中のカードを使用できるようにするため、ユーザはプロセッサが情報がカード読取装置によりカードから読み取られることのできる読取モードで動作されるようにカードを動作しなければならない。第１の実施形態では、ユーザは生物測定的スキャナを指紋のような予め定められた生物測定的材料と接触させることにより読取モードを開始することができる。正しい指紋が識別されるとき、プロセッサは読取モードで動作し、それによって記憶された情報の少なくとも一部はカード読取装置により読取られることができる。その代わりに、トランザクションカードは読取モードでプロセッサを動作するために押されることのできる外部表面上の押ボタンを具備することができる。さらに別の代替技術では、トランザクションカードは電磁信号のような予め定められた信号の識別時に、読取モードでプロセッサを動作するようにすることができる。さらに別の実施形態では、プロセッサはプロセッサへの記録を終了するとき読取モードで自動的に動作される。
【００８５】
［長手方向に１つのコイルを有するトランザクションカードからの読取り］  
トランザクションカードがＡＴＭのようなカード読取装置へロードされるとき、スイープセンサは読取ヘッドがスイープセンサを通過することを検出し、コイルに関する読取ヘッドの速度を評価することができる。その後、スイープセンサは読取ヘッドがスイープセンサを通過した時点とスイープセンサに関する読取ヘッドの通過以降に経過時間に基づいて、読取ヘッドの位置を評価することができる。読取ヘッドが予め定められた位置に位置されるとき、プロセッサはカードへの情報の記録期間中に、読取ヘッドが同じ位置に位置されたとき、コイルにより検出される信号に対応するコイルへ信号を出力するように構成されることができる。記録ヘッドが別の位置に移動されるとき、この位置に関する情報はコイルを経て出力される。１実施形態では、（出力するプロセスが開始される）読取ヘッドの位置は記録が開始された位置と同じである必要はなく、トランザクションカードは読取ヘッドの任意の位置についての情報の出力を開始するように構成される。別の実施形態では、プロセッサはカード読取装置がその読取装置によって読取ヘッドをコイルに沿って動かすためにかかる時間よりも短い期間の時間で磁気条帯の読取に対応する信号を出力するように構成される。後者の実施形態は読取装置が読取プロセスの速度を速めることを可能にする。
【００８６】
［長手方向に複数のコイルを有するトランザクションカードからの読取り］  
装置の縦方向に設けられた複数のコイルを具備する実施形態では、プロセッサは読取ヘッドの検出時に、または読取モードで動作されることによって、コイルからの情報の記録期間中に各コイルが前記コイルにより検出される信号に対応する電流を受けるように構成される。したがって、任意の位置の磁界は一定であり、トランザクションカードに沿った読取ヘッドの移動に応答して変化されないので、コイルは通常の磁気条帯と同一の仮想磁気条帯を生成する。
【００８７】
記録装置は大部分の実施形態ではカードのエッジのようなカードの予め定められた位置に関して情報を記録する。しかしながら、製造の許容誤差のために、コイルは任意の２つの異なるカード上で正確に同じ位置に位置されない可能性がある。したがってほとんどの状態では、記録装置はカードに沿った任意の記録位置に対して２つの隣接コイル間の位置に情報を記録しようとする。このような場合、両コイル又は全てのコイルが情報を記録するために使用されることができる。記録装置により記録された情報をその後確認するとき、両コイル又は全てのコイルは記憶された情報をコイル間の位置で再生するために使用されることができる。これは正確な情報がトランザクションカードに沿った予め定められた位置に記憶されていることを記録装置が確認することを可能にする。しかしながら、カード読取機械、例えばＡＴＭは情報が特定の位置に記録されていることを確認するように動作しないので、コイルはその後、コイル間の位置ではなく、コイルの位置で情報を発生するように動作されることができる。前述したように、これはプロセッサがコイルを介して通常の磁気条帯と同一の仮想磁気条帯を発生することを可能にする。
【図面の簡単な説明】
【００８８】
【図１】本発明の１実施形態によるトランザクションカードを示す図。
【図２】カード読取装置／記録装置の付近に位置されるトランザクションカードのトランスデューサコイルを示す図。
【図１】
2009508195.tif 000003
【図２】
2009508195.tif 000004
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
少なくとも１つのコイルに接続されるプロセッサを具備するトランザクションカードにおいて、そのプロセッサは、
コイルに作用する磁界により生じるコイルにより出力された信号を受信し、その信号から、カードに関する情報を導出し、
その情報を記憶し、
１以上の時点において、トランザクションカードおよび／またはコイルに関してカード読取／記録手段の１以上の位置を設定し、
その後、対応する信号をコイルに送信することにより情報を周囲へ送信するように構成され、
前記プロセッサは読取モードと記録モードとで動作するように構成され、
記録モードでは、プロセッサはコイルにより検出された情報の少なくとも一部分についてトランザクションカードおよび／またはコイルに関するカード記録手段の書込み位置を評価し、情報の前記一部分と前記評価された書込み位置とを記憶するように構成され、
読取モードでは、プロセッサはトランザクションカードおよび／またはコイルに関するカード読取手段の評価された位置が前記評価された書込み位置と実質的に同一であるときに、カード読取手段の読取位置を評価し、情報の前記一部分をコイルに出力するように構成されているトランザクションカード。
【請求項２】
前記プロセッサは、
１以上の記録シーケンスにおいて、コイルを介して検出された情報をプロセッサに記憶し、
１以上の読取シーケンスにおいて、プロセッサに記憶された情報はコイルを介して出力されるように構成されている請求項１記載のトランザクションカード。
【請求項３】
前記コイルはトランザクションカードの通常の平面で延在する１以上の巻線を具備している請求項１または２記載のトランザクションカード。
【請求項４】
前記コイルの少なくとも一部はトランザクションカードの通常の平面に延在する中心軸を規定する請求項１乃至３のいずれか１項記載のトランザクションカード。
【請求項５】
さらにトランザクションカードの通常の平面に延在し、コイルの１以上の巻線内の誘導素子を具備している請求項４記載のトランザクションカード。
【請求項６】
さらに、カード読取／記録手段に関してトランザクションカードおよび／またはコイルの速度を評価する手段を具備している請求項１乃至５のいずれか１項記載のトランザクションカード。
【請求項７】
前記評価手段はコイルの自己インダクタンスの変化を検出するように構成されている請求項６記載のトランザクションカード。
【請求項８】
前記評価手段は、カード読取および／または記録手段がトランザクションカードおよび／またはコイル上の基準位置を通過する評価された速度と時点とに基づいて、トランザクションカードおよび／またはコイルに関するカード読取および／または記録手段の１以上の位置を１以上の時点について評価するように構成されている請求項６又は７記載のトランザクションカード。
【請求項９】
前記プロセッサは記録モードで動作するとき、コイルに作用する磁界を情報として解釈し、前記プロセッサはさらにコイルからの信号がプロセッサにより解釈されない非記録モードで動作するように構成されている請求項１記載のトランザクションカード。
【請求項１０】
プロセッサは、
予め定められた数の記録シーケンスの決定時、および／または、
予め定められた数の読取シーケンスの決定時、および／または、
コイルにより検出される予め定められた数の信号の決定時、および／または、
予め定められた読取および／または記録シーケンス以来経過した予め定められた時間期間の経過後に、記録モードから非記録モードへ変更するように構成されている請求項９記載のトランザクションカード。
【請求項１１】
トランザクションカードは、プロセッサが秘密保護モードで動作されるときには出力されない付加的な情報を受信するように構成されている請求項１乃至１０のいずれか１項記載のトランザクションカード。
【請求項１２】
さらに、少なくとも１つの走査された生物測定的特性を決定するように構成された生物測定的スキャナを具備し、前記プロセッサは少なくとも１つの走査された生物測定的特性がトランザクションカードのユーザの対応する生物測定的特性に対応しなければ、読取モードの動作を阻止するように構成されている請求項１、９乃至１１のいずれか１項記載のトランザクションカード。
【請求項１３】
少なくとも１つのコイルに接続されているプロセッサを具備するトランザクションカードに情報を記憶する方法において、プロセッサは、
コイルに作用する磁界により生じるコイルにより出力された信号を受信し、
その信号から、カードに関する情報を導出し、
その情報を記憶し、
その後、対応する信号をコイルに送信することにより情報を周囲へ送信し、
前記導出するステップはコイルにより検出される情報の少なくとも一部分について、トランザクションカードおよび／またはコイルに関するカード記録手段の書込み位置を評価するステップを含み、
記憶ステップは情報の前記一部分と前記評価された位置とを記憶するステップを含んでおり、
前記送信ステップは、トランザクションカードおよび／またはコイルに関するカード読取手段の評価された位置が前記記憶された書込み位置と実質的に同じであるとき、情報の前記一部分をコイルに出力するステップを含んでいる方法。
【請求項１４】
前記受信ステップはカード読取手段を移動させ、トランザクションカードおよび／またはコイルに沿って磁界を設定し、１以上の時点でトランザクションカードおよび／またはコイルに関するカード記録手段の１以上の位置を決定するステップを含んでいる請求項１３記載の方法。
【請求項１５】
前記受信ステップは、カード読取および／または記録手段に関するトランザクションカードおよび／またはコイルの速度を評価するステップを含んでいる請求項１３または１４記載の方法。
【請求項１６】
前記受信ステップは、コイルの自己インダクタンスの変化を検出し、その変化と変化が生じた時間期間に基づいて速度を評価するステップを含んでいる請求項１５記載の方法。
【請求項１７】
前記受信ステップは、カード読取および／または記録手段がトランザクションカードおよび／またはコイル上の基準位置を通過した評価された速度と時点とに基づいて、トランザクションカードおよび／またはコイルに関するカード読取および／または記録手段の１以上の位置を１以上の時点について評価するステップを含んでいる請求項１５または１６記載の方法。
【請求項１８】
前記プロセッサは記録モードで動作するように構成され、ここではプロセッサはコイルに作用する磁界を情報として解釈するように構成され、プロセッサは非記録モードで動作されるように構成され、コイルからの信号はプロセッサにより解釈されない請求項１３乃至１７のいずれか１項記載の方法。
【請求項１９】
前記プロセッサは、
１以上の記録シーケンスにおいて、コイルを介して検出された情報はプロセッサに記憶され、
１以上の読取シーケンスにおいて、プロセッサに記憶された情報はコイルを介して出力されるように構成されている請求項１３乃至１８のいずれか１記載の方法。
【請求項２０】
予め定められた数の記録シーケンスおよび／または、
予め定められた読取シーケンスおよび／または、
コイルにより検出される予め定められた信号および／または、
予め定められた読取および／または記録シーケンス以降経過した予め定められた時間期間のうちの少なくとも１つに基づいて、記録モードから非記録モードへプロセッサの動作モードを変化させるステップをさらに含んでいる請求項１８および１９記載の方法。
【請求項２１】
トランザクションカードは付加的な情報を受信し、プロセッサが付加的な情報の出力を阻止する秘密保護モードでプロセッサを動作する後続のステップを行うように構成されている請求項１３乃至２０のいずれか１項記載の方法。
【請求項２２】
トランザクションカードはさらに少なくとも１つの生物測定的特性を決定するように構成された生物測定的スキャナを具備し、前記送信ステップは、
生物測定的スキャナにより生物測定的材料を走査し、
生物測定的スキャナから受信される信号から生物測定的材料に関する情報を導出し、
生物測定的材料信号に関する情報をトランザクションカードの所有者に関する情報と比較し、
比較された情報が相関するならば、プロセッサ中に記憶されているデータのコイルへの送信を可能にするステップを含んでいる請求項１３乃至２１のいずれか１項記載の方法。
【国際調査報告】
2009508195.tif 000005
2009508195.tif 000006
2009508195.tif 000007